(57)【要約】  放射線治療システムの一以上のコリメータを自動交換するように構成された放射線治療システムのコリメータ自動交換装置。
2010508965.tif 000002
【特許請求の範囲】
【請求項１】
放射線治療システムのコリメータ自動交換装置を備える装置において、
前記コリメータ自動交換装置は、前記放射線治療システムの一以上のコリメータを自動交換するように構成された装置。
【請求項２】
装置は、さらに
ロボット・アーム、および、
前記コリメータ自動交換装置ならびに前記ロボット・アームに連結されたリニア・アクセラレータを備え、
前記コリメータ自動交換装置は、
前記リニア・アクセラレータに連結されたコリメータ・ハウジング、および
前記一以上のコリメータの一つのコリメータを前記コリメータ・ハウジング中に固定するように構成される一次保持機構を備え、
前記コリメータ・ハウジング、前記一次保持機構、および、前記リニア・アクセラレータは、前記一以上のコリメータを自動的に交換するように構成される請求項１記載の装置。
【請求項３】
前記一次保持機構は、ナットを備える請求項２記載の装置。
【請求項４】
前記一次保持機構は、コリメータ・カラーを備える請求項２記載の装置。
【請求項５】
前記一次保持機構は、前記コリメータ・ハウジングに取り外し自在に連結される請求項２記載の装置。
【請求項６】
前記一次保持機構は、前記コリメータ・ハウジング上に能動的にロックされるように構成される請求項２記載の装置。
【請求項７】
装置は、さらに、
前記コリメータ・カラーがコリメータ・ハウジング中に固定されたときに、それを示す前記コリメータ・ハウジングに連結された少なくとも一つの近接スイッチを備える請求項４記載の装置。
【請求項８】
前記一次保持機構は、前記コリメータ・ハウジング上にネジ止めされるように構成される請求項２記載の装置。
【請求項９】
前記コリメータ自動交換装置は、前記コリメータを前記コリメータ・ハウジング中に固定するように構成された二次保持機構を備える請求項２記載の装置。
【請求項１０】
前記二次保持機構は、ロック・ピンを備える請求項９記載の装置。
【請求項１１】
装置は、さらに、
前記コリメータ・ハウジングの前端に配置された接触センサを備え、
前記接触センサは、該接触センサの周囲に配置された空洞を備え、また、
前記一次保持機構は、前記接触センサの前記空洞中に配置される請求項２記載の装置。
【請求項１２】
前記一次保持機構は、ロック・ピン、ナット、および、コリメータ・カラーの少なくとも一つを備える請求項１１記載の装置。
【請求項１３】
前記一次保持機構は、前記コリメータ・ハウジング上にネジ止めされるように構成される請求項１１記載の装置。
【請求項１４】
前記一次保持機構は、前記コリメータ・ハウジングの後端に配置される請求項２記載の装置。
【請求項１５】
前記一次保持機構は、前記コリメータ・ハウジングの前端に配置される請求項２記載の装置。
【請求項１６】
前記コリメータ自動交換装置は、前記コリメータを前記コリメータ・ハウジング中に固定するように構成された二次保持機構を備え、また、
前記二次保持機構は、前記コリメータ・ハウジングの後端に配置される請求項１５記載の装置。
【請求項１７】
装置は、さらに、
前記リニア・アクセラレータの届く範囲内に置かれた工具トレーを備え、また、
前記工具トレーは、前記一以上のコリメータを収容するように構成される請求項２記載の装置。
【請求項１８】
前記工具トレーは、少なくとも一つのコリメータ容器を備える請求項１７記載の装置。
【請求項１９】
前記一以上のコリメータは、１２の円形の寸法固定コリメータを備え、また、
前記工具トレーは、１２のコリメータ容器を備える請求項１７記載の装置。
【請求項２０】
前記少なくとも一つのコリメータ容器は、前記コリメータ・ハウジングの一つのロック・ピンの係合を外すように構成され誘導機構に連結される請求項１８記載の装置。
【請求項２１】
前記少なくとも一つのコリメータ容器は、該少なくとも一つのコリメータ容器中のコリメータの存在または不在を示す近接スイッチに連結される請求項１８記載の装置。
【請求項２２】
前記少なくとも一つのコリメータ容器は、前記リニア・アクセラレータに対する前記コリメータ容器中のコリメータの位置を較正するための方向センサに連結される請求項１８記載の装置。
【請求項２３】
前記少なくとも一つのコリメータ容器は、前記コリメータを収容するように構成されたキー付き空洞に連結され、また、
前記コリメータは、前記キー付き空洞に取り外し自在に連結されるように構成される請求項１８記載の装置。
【請求項２４】
装置は、さらに、
前記リニア・アクセラレータのフレーム中の前記工具トレーの位置を較正するために該工具トレーに連結された少なくとも一つの感光センサを備える請求項１８記載の装置。
【請求項２５】
前記少なくとも一つの感光センサは取り外し自在の感光センサである請求項２４記載の装置。
【請求項２６】
装置は、さらに、
前記工具トレーに連結された少なくとも一つの固定式クイックチェック・センサを備える請求項18記載の装置。
【請求項２７】
装置は、さらに、
前記リニア・アクセラレータと前記工具トレーの間の接触を検出するために該工具トレーに連結された少なくとも一つの近接スイッチを備える請求項１８記載の装置。
【請求項２８】
前記少なくとも一つの近接スイッチは、前記工具トレーの下に配置される請求項２７記載の装置。
【請求項２９】
装置は、さらに、
前記リニア・アクセラレータと前記工具トレーが接触した場合に、該リニア・アクセラレータが損傷する前に該工具トレーが壊れるように、該工具トレー中に複数の応力点を備える請求項１８記載の装置。
【請求項３０】
前記工具トレーは、前記一次保持機構を前記コリメータ・ハウジングとの係合を外すための保持機構リムーバを備える請求項１７記載の装置。
【請求項３１】
前記コリメータ自動交換装置は、二次保持機構を有し、また
前記二次保持機構は、前記工具トレーの一つのコリメータ容器の誘導機構によって係合を外される請求項１７記載の装置。
【請求項３２】
装置は、さらに、
ロボット・アーム、および
前記コリメータ自動交換装置および前記ロボット・アームに連結されたリニア・アクセラレータを有し、
前記コリメータ自動交換装置は、前記リニア・アクセラレータに取り外し自在に連結された工具交換装置であり、前記放射線治療システムの前記一以上のコリメータを交換するように構成される請求項１記載の装置。
【請求項３３】
前記工具交換装置は、空気圧式工具交換装置である請求項３２記載の装置。
【請求項３４】
前記工具交換装置は、能動的要素を有し、また、
前記能動的要素は、前記リニア・アクセラレータ上に配置される請求項３３記載の装置。
【請求項３５】
前記工具交換装置は、能動的要素を有し、また、
前記能動的要素は、前記ロボット・アーム上に配置される請求項３３記載の装置。
【請求項３６】
前記工具交換装置は、能動的要素を有し、また、
前記能動的要素は、工具トレー上に配置される請求項３３記載の装置。
【請求項３７】
装置は、さらに、
ジンバル付き放射線源ヘッド・アセンブリを有する放射線治療送出装置、および
前記コリメータ自動交換装置および前記ジンバル付き放射線源ヘッド・アセンブリに連結されたリニア・アクセラレータを備え、
前記コリメータ自動交換装置は、
前記リニア・アクセラレータに連結されたコリメータ・ハウジング、および
前記一以上のコリメータの一つのコリメータを前記コリメータ・ハウジング中に固定するように構成された一次保持機構を備え、
前記コリメータ・ハウジング、前記一次保持機構、および、前記リニア・アクセラレータは、前記一以上のコリメータを自動的に交換するように構成される請求項１記載の装置。
【請求項３８】
前記一次保持機構は、ロック・ピン、ナット、およびコリメータ・カラーの少なくとも一つを備える請求項３５記載の装置。
【請求項３９】
放射線治療システム中に第一のコリメータを供給し、また
前記放射線治療システム中の前記第一のコリメータを自動的に交換する方法。
【請求項４０】
前記第一のコリメータを自動的に交換することは、
工具トレーの第一のキー付き空洞中で前記第一のコリメータの係合を外すことを含み、また、
前記第一のキー付き空洞は空であり、また、前記第一のコリメータを収容するように構成され、また、
前記第一のキー付き空洞は、前記放射線治療システムのリニア・アクセラレータの届く範囲内にある請求項３９記載の方法。
【請求項４１】
方法は、さらに、
前記工具トレーの一以上の追加のキー付き空洞中に一以上の追加のコリメータを供給し、また、
前記一以上の追加のキー付き空洞は、前記一以上の追加のコリメータを収容するよう構成され、また、
前記工具トレーの前記一以上の追加のコリメータは、前記放射線治療システムのリニア・アクセラレータの届く範囲内にある請求項４０記載の方法。
【請求項４２】
前記リニア・アクセラレータは、コリメータ・ハウジングに連結され、
前記第一のコリメータは、前記コリメータ・ハウジングに取り外し自在に連結された第一のコリメータ・カラーを有し、また
前記第一のコリメータの係合を外すことは、
前記第一のコリメータの前記第一のコリメータ・カラーを前記第一のキー付き空洞中に配置すること、および、
前記リニア・アクセラレータを回して前記コリメータ・ハウジングを前記第一のコリメータ・カラーとの係合から外し、前記第一のコリメータ・カラーを前記第一のキー付き空洞と係合させることからなる請求項４０記載の方法。
【請求項４３】
前記第一のコリメータの係合を外すことは、さらに
前記リニア・アクセラレータを前記工具トレーの前記第一のキー付き空洞から回収すること、および
前記第一のコリメータ・カラーを前記工具トレーの前記第一のキー付き空洞に残すことからなる請求項４２記載の方法。
【請求項４４】
前記第一のコリメータを自動的に交換することは、さらに
前記工具トレーの第二のキー付き空洞からの第二のコリメータを係合させることからなる請求項４０記載の方法。
【請求項４５】
前記リニア・アクセラレータは、コリメータ・ハウジングに連結され、
前記第二のコリメータは、前記コリメータ・ハウジングに取り外し自在に連結されるようら構成された第二のコリメータ・カラーを有し、また
前記第二のコリメータを係合させることは、
前記リニア・アクセラレータを、前記第二のコリメータを収容した前記工具トレーの前記第二のキー付き空洞に向けて移動させること、および
前記第二のコリメータ・カラーを前記コリメータ・ハウジングと係合させることからなる請求項４４記載の方法。
【請求項４６】
前記第二のコリメータ・カラーを係合させることは、前記リニア・アクセラレータを回して該第二のコリメータ・カラーを前記コリメータ・ハウジングに固定することからなる請求項４５記載の方法。
【請求項４７】
前記第一のコリメータの係合を外すことは、さらに、
前記リニア・アクセラレータを前記工具トレーの前記第二のキー付き空洞から回収すること、および
前記工具トレーの該第二のキー付き空洞中の前記第二のコリメータ・カラーを取り除くことからなる請求項４６記載の方法。
【請求項４８】
前記第二のコリメータ・カラーを係合させることは、
前記コリメータ・ハウジングのロック・ピンを前記第二のキー付き空洞の誘導機構と係合させることからなり、
前記誘導機構は、前記ロック・ピンを作動させて、前記第二のコリメータを前記工具トレーの前記第二のキー付き空洞から外すためのランプ（傾斜部）を備える請求項４５記載の方法。
【請求項４９】
前記コリメータ・ハウジングに連結された前記ロック・ピンは、前記第二のコリメータ・カラーを係合させるときには前記誘導機構とは係合していない請求項４８記載の方法。
【請求項５０】
前記第一のコリメータを自動的に交換することは、工具交換装置を用いて一つの工具トレーの一つの第一のキー付き空洞中の前記第一のコリメータの係合を外すことからなり、
前記第一のキー付き空洞は、空であり、
該第一のキー付き空洞は、前記第一のコリメータを収容するように構成され、また、
該第一のキー付き空洞は、前記放射線治療システムの一つのリニア・アクセラレータの届く範囲内にある請求項３９記載の方法。
【請求項５１】
前記工具交換装置は、前記リニア・アクセラレータに取り外し自在に連結されており、また、
該工具交換装置を用いて前記第一のコリメータの係合を外すことは、
該工具交換装置を前記第一のキー付き空洞の上方に配置すること、および
該工具交換装置を作動させて、前記第一のコリメータを前記コリメータ・ハウジングから外し、前記第一のキー付き空洞に入れることからなる請求項５０記載の方法。
【請求項５２】
前記第一のコリメータを自動的に交換することは、さらに、前記工具交換装置を用いて、前記工具トレーの第二のキー付き空洞からの第二のコリメータを係合させることからなる請求項５０記載の方法。
【請求項５３】
前記工具交換装置を用いて前記第二のコリメータを係合させることは、
該工具交換装置を、該第二のコリメータを収容した第二のキー付き空洞へ移動させること、および
該工具交換装置を作動させて、前記第二のキー付き空洞から該第二のコリメータを取り上げ、該第二のコリメータを前記コリメータ・ハウジングに取り付けることからなる請求項５２記載の方法。
【請求項５４】
前記工具交換装置は、空気圧式工具交換装置である請求項５０記載の方法。
【請求項５５】
前記工具交換装置は、能動的要素を有し、また
前記能動的要素は、前記ロボット・アーム上に配置される請求項５０記載の方法。
【請求項５６】
前記工具交換装置は、能動的要素を有し、また
前記能動的要素は、リニア・アクセラレータ上に配置される請求項５０記載の方法。
【請求項５７】
前記工具交換装置は、能動的要素を有し、また
前記能動的要素は、前記工具トレー上に配置される請求項５０記載の方法。
【請求項５８】
放射線治療システムのコリメータ、および
前記放射線治療システムの前記コリメータを自動的に交換するための手段を備える装置。
【請求項５９】
装置は、さらに
第一のコリメータの係合を外してコリメータ・ハウジングから第一のハウジングへ入れるための手段、および
第二のハウジングからの第二のコリメータを前記コリメータ・ハウジングへ自動的に係合させるための手段を備える請求項５８記載の装置。
【請求項６０】
装置は、さらに
前記コリメータを前記コリメータ・ハウジング中に固定させるための手段を備える請求項５９記載の装置。
【請求項６１】
装置は、さらに
前記放射線治療システムの放射線治療装置、および
前記コリメータを前記放射線治療装置へ連結するための手段を備える請求項５８記載の装置。
【発明の詳細な説明】
【技術分野】
【０００１】
本発明は、放射線治療に関し、詳細には放射線治療システムにおけるコリメータを交換するための装置および方法に関するものである。
【背景技術】
【０００２】
放射線外科治療システムを構成する際の臨床的要件としては、ａ）身体各所に位置する標的へのきわめて正確なビームの送出、ｂ）きわめて保形的な線量分布、ｃ）大小にかかわらず複雑な形状の病変部位を照射する能力が含まれる。これらの要件を満たすために、システムは、相対的重みすなわち線量寄与率が計測されているビーム位置を組み合わせて用い、それに従って線量を容積的に決定する。一以上のコリメータを選定し、所望の臨床的成果を得るために必要なビームの直径が得られるようにすることができる。米国アキュレーTM・インコーポレーテッド社製造のＣＹＢＥＲＫＮＩＦＥ（登録商標：サイバーナイフ）放射線手術システムなどの現在の放射線治療手術器具は、１２の円形の寸法固定二次コリメータのセットに依拠しており、それによって、ビームは、治療計画立案アルゴリズムに必要な大きさに縮小される。現在、この種コリメータの交換は手動で行われる。
【０００３】
図９および図１０は、コリメータを手動で交換する従来の方法を示す。図９は、ロック用ナット９０１を弛めて取り外し、さらにコリメータを外しているところを示している。つづいて、コリメータを他のコリメータと交換し、ロック用ナットを締める。米国アキュレーTM・インコーポレーテッド社製造のＣＹＢＥＲＫＮＩＦＥ（登録商標）放射線手術システムのこのバージョンのコリメータの交換では、手を何回も回してロック用ナット９０１を回転させ、リニア・アクセラレータ（ＬＩＮＡＣ）の端部をコリメータから外す必要がある。図１０は、手動のコリメータ交換の過程でコリメータ・ハウジングから外されたコリメータを示している。
【発明の概要】
【発明が解決しようとする課題】
【０００４】
コリメータを手動で交換する従来の一方法は、下記の操作を含む。まず、オペレータは、ロック用ナット９０１を弛めてコリメータ・ハウジングから取り外す。次に、オペレータは、自分の手を使って、下からコリメータを支える。次に、オペレータは、保持ピンを外してコリメータをコリメータ・ハウジングから外してオペレータの手にのせる。次に、オペレータは、別のコリメータを一つ選び、選んだコリメータを保持ピンがカチッというまでコリメータ・ハウジング中に挿入する。最後に、オペレータは、ロック用ナット９０１をコリメータ・ハウジングに締め付けてロック用ナット９０１を元に戻す。この従来の方法では、ロック用ナット９０１を何回も回してＬＩＮＡＣの端部から取り外さなければならない。
【０００５】
添付の図面は、本発明を例示するものであるが、本発明を限定するものではない。
【図面の簡単な説明】
【０００６】
【図１】図１は、放射線治療ロボットおよびコリメータ自動交換装置の一実施形態を示す。
【図２】図２は、放射線治療ロボットのコリメータ・ハウジングの一実施形態を示す。
【図３】図３は、コリメータ交換システムの工具トレーと連携したコリメータ容器の一実施形態を示す。
【図４】図４は、コリメータ交換システムの工具トレーの一実施形態を示す。
【図５】図５は、放射線治療ロボットのコリメータ・ハウジングの一実施形態を示す。
【図６】図６は、コリメータ交換システムの一実施形態を示す。
【図７】図７は、コリメータ容器と係合する放射線治療ロボットのコリメータ・ハウジングの一実施形態を示す。
【図８】図８は、工具交換装置の一実施形態を示す。
【図９】図９は、  コリメータ手動交換の一方法を示す。
【図１０】図１０は、コリメータ手動交換の一方法の過程でコリメータ・ハウジングから外されたコリメータを示す。
【図１１】図１１は、コリメータ自動交換方法の一実施形態を示すフローチャートである。
【図１２】図１２は、コリメータ自動交換方法の他の実施形態を示すフローチャートである。
【図１３】図１３は、工具交換装置および第二のコリメータのコリメータ・ハウジングの一実施形態を示す。
【図１４】図１４は、放射線治療ロボットおよびコリメータ交換用コリメータ自動交換装置を含む一システムの一実施形態を示す。
【図１５】図１５は、ナット取り外し装置およびナット取り外し装置内の光感知センサを含む工具トレーの一実施形態を示す。
【図１６】図１６は、コリメータ自動交換装置を備えたジンバル付き放射線源ヘッド・アセンブリを有するガントリ式システムの一実施形態を示す。
【発明を実施するための最良の形態】
【０００７】
一放射線治療システムにおけるコリメータ交換の方法および装置を説明する。以下の説明は、本発明のいくつかの実施形態がよく理解されるように、特定のシステム、構成要素、方法、等々多くの具体的詳細を述べたものである。当業者には、本発明の少なくともいくつかの実施形態は、これらの具体的詳細なしに実施できることは明らかであろう。他の例にあっては、周知の構成要素あるいは方法は、詳細には説明されていないか、あるいは本発明を不必要に曖昧にすることを避けるために単純なブロック線図で示されている。したがって、以下に述べられる具体的詳細は、単に例示に過ぎない。特定の実施形態は、これらの例示された詳細とは異なる場合があるが、同じく本発明の精神および範囲から逸脱するものではないと思料されるべきものである。
【０００８】
以下により詳細に述べるように、本明細書中に記載された実施形態は、放射線治療システムで用いるためのコリメータ自動交換装置を含むものである。コリメータ自動交換装置は、放射線治療システムのリニア・アクセラレータに連結されたコリメータ・ハウジングを含むものとすることができる。コリメータ自動交換装置は、さらに、コリメータ・ハウジング内にコリメータを固定するように構成された保持機構を含むものとすることができる。コリメータ・ハウジングおよび保持機構は、従来行われていたコリメータを手動で交換するオペレータに代わってコリメータを自動交換するためのリニア・アクセラレータの動きを利用して配置される。あるいは、コリメータ自動交換装置は、リニア・アクセラレータに取り外し自在に連結されたあるいはコリメータを自動交換するように構成された工具交換装置を含むものである。同様に、工具交換装置は、コリメータを自動交換するためのリニア・アクセラレータの動きを利用して配置される。
【０００９】
コリメータ自動交換装置は、コリメータをコリメータ・ハウジング内に固定するためにコリメータ・ハウジングに連結された少なくとも一つの一次および二次保持機構のいずれかを有するものとすることができる。一次および二次保持機構は、双方を前端部に、双方を後端部に、または一方を前端部に他方を後端部に配置することができる。あるいは、コリメータ自動交換装置は、単一の保持機構を備えることができる。単一の保持機構は、コリメータ・ハウジングのコリメータの前端部（すなわち、コリメータからビームが出る端部）に配置することができる。あるいは、この保持機構は、コリメータ・ハウジングの後端部（すなわち、コリメータにビームが入る端部）に配置することもできる。
【００１０】
本明細書中に記載されている実施形態は、コリメータ交換のための自動手段を提供するものである。本明細書中に記載されている実施形態は、従来行われていたようにコリメータを手動で切り換えるオペレータに依拠するのではなく、コリメータの交換を成し遂げる放射線治療ロボット（例、ＬＩＮＡＣに連結されたロボット・アーム）に依拠するものである。これらの実施形態は、各治療計画のために大きさの異なる多数のコリメータを用いて標的に送出される全放射線を低減させることを考慮している場合がある。さらに、これらの実施形態は、多数のコリメータの手動交換を省くなどして、コリメータの交換におけるオペレータの関与量を減少させる場合がある。オペレータの関与量を減少させることによって、治療は、オペレータが治療室内に入る中断なしに、治療計画にしたがって行う場合がある。これらの実施形態は、さらに、コリメータの一体保管を可能にするものである。本明細書中に記載されている実施形態は、位置の再現性を提供する、すなわち、コリメータを常に再現可能な位置に配置できる場合がある。コリメータを固定するためのオペレータの関与を排除することによって、本明細書中に記載されている自動的方法は、とくに二人以上のオペレータがコリメータの交換を行う場合には、従来の手動的方法より再現性の高い方法を提供することができる場合がある。さらに、いくつかの実施形態にあっては、現存する放射線治療システムにおいてこれらの実施形態をサポートするために付加的な信号または電源ケーブルを追加する必要はない。他の実施形態にあっては、現存するコリメータおよびＬＩＮＡＣにいかなる変更も行われず、またコリメータを収容するコリメータ・ハウジングの前側に配置される接触検出センサに最小限度の変更が行われる場合がある。
【００１１】
上述のシステムは、以下に説明するようなハードウエアおよびソフトウエア構成要素を用いて実施することができる。ハードウエアは、機能性に関係するハードウエアおよび安全性に関係するハードウエアの二つの機能的構成要素を含むものとすることができる。機能性に関係するハードウエアは、放射線治療システムによって使用されていないときのコリメータを保持するための工具トレーを含むものとすることができる。また、工具トレーは、ロック・ピン（レバーとも呼ばれる）の係合を外すための手段を含むものとすることもできる。コリメータのカラーは、放射線治療システムと連携したコリメータ・ハウジング内にコリメータを固定するものとすることができる。機能性に関係するハードウエアは、さらに、放射線治療ロボット内の工具トレーの位置を較正するための接触検出センサおよび／または光感知センサを含むものとすることができる。安全性に関係するハードウエアは、コリメータの存在または不在を示すためのコリメータ・ハウジング内の複数の近接スイッチを含むものとすることができる。これらの近接スイッチは、また、存在−不在センサとも呼ばれる。リニア・アクセラレータと工具トレーの間の接触を検出するために工具トレーの下に近接スイッチを配置することもできる。さらに、リニア・アクセラレータと工具トレーが接触した場合に、リニア・アクセラレータが損傷する前に工具トレーが壊れるように、工具トレーに複数の応力点を設けるように構成することもできる。安全性に関係するハードウエアは、また、コリメータ・カラーの正しいロック状態を示すために、リニア・アクセラレータと連携したコリメータ・ハウジング上に少なくとも一つの近接スイッチを含むものとすることができる。
【００１２】
安全性に関係する手段は、例えばコリメータが患者の上に落下するなどの危険を低減するように所定の位置に配置される。この危険は、コリメータ・カラー上のチェック・スイッチを配置することによって低減することができる。一実施形態にあっては、このチェック・スイッチは、コリメータ・カラーが正しく設置されていることを確認するためにコリメータ・カラーの回転の終点に配置された近接スイッチである。このような機械的構成では、近接スイッチが上述の位置に配置されているため、コリメータ・カラーが傾けられた後、コリメータ・カラーがしっかりと完全に固定される位置にきていることが確認される。他の危険の例としては、リニア・アクセラレータが患者と衝突することが挙げられる。この危険には、１）トレーの位置をチェックするための複数の光センサ、２）トレーとの接触を示す複数の近接スイッチ、および３）リニア・アクセラレータの損傷を妨げるための複数の離脱応力点の三段階構成の低減処置がとられる。放射線治療ロボットが工具トレーと衝突する危険をさけるためにも、これと同じ三段階構成の危険低減処置を適用することができる。
【００１３】
他の実施形態にあっては、ソフトウエアは、米国アキュレーTM・インコーポレーテッド社製造のＣＹＢＥＲＫＮＩＦＥ（登録商標：サイバーナイフ）放射線手術システムのような放射線治療ロボット中にすべての機能性および安全性に関係するハードウエアを統合することができる。このようなソフトウエアは、理想的には、抽象層を提供するものであって、それによって、システムの残る部分は、工具トレーの状態または機能性についての詳細な情報を知る必要がないようになるものである。
【００１４】
図１は、放射線治療ロボット１００およびコリメータ自動交換装置１０３の一実施形態を示す。一実施形態にあっては、コリメータ交換装置と連携したすべての動きは、追加的な駆動を必要とせずに放射線治療ロボット１００によって提供することができる。この動きは、機械的なものであってもよく、そのような動きは、放射線治療ロボット１００内の一定のスプリング機構を起動させる一定の輪郭に依拠するものとすることができる。一実施形態にあっては、放射線治療ロボット１００の関節能力を用いて、コリメータ４０１が工具トレー４００から取り上げられ、コリメータ４０１が工具トレー４００中に降ろされる。コリメータ４０１の取り上げおよび降ろしは、単に放射線治療ロボット１００の動きによって行われるものとすることができる。いくつかの実施形態にあっては、ユーザが、放射線治療ロボット１００がコリメータ４０１を取り上げまた降ろす正しい位置に配置されるようにプログラムすることができる。図１に示す実施形態にあっては、放射線治療ロボット１００（または放射線治療装置）は、コリメータ自動交換装置１０３に連結されたリニア・アクセラレータ（ＬＩＮＡＣ）１０１を含む。
【００１５】
コリメータ自動交換装置１０３は、コリメータ・ハウジング１０２を含む。コリメータ自動交換装置１０３は、さらに、コリメータをコリメータ・ハウジング１０２内に係合させまた係合を外すためにコリメータ・ハウジング１０２に連結された（図１には示されていない）一以上の保持機構を含むものとすることができる。あるいは、コリメータ自動交換装置１０３は、工具交換装置（例、空気圧式工具交換装置）を含む。工具交換装置は、コリメータ・ハウジング１０２に固定されるコリメータを取り上げまた降ろすように構成されたものとすることができる。工具交換装置は、また、以下に説明するように一以上の保持機構を含むコリメータ・ハウジングを取り上げるように構成することもできる。
【００１６】
コリメータ自動交換装置１０３の動きは、放射線治療ロボット１００によってあたえることができ、またいくつかの実施形態（例、工具交換装置を使用しない実施形態）にあっては、コリメータ自動交換装置１０３は、放射線治療ロボット１００による付加的な作動を必要としないものとすることができる。コリメータ自動交換装置１０３および放射線治療ロボット１００の動きは、コリメータ・ハウジング１０２内のコリメータを自動的に交換する構成とすることができる。あるいは、放射線治療システムは、放射線治療ロボット１００とは異なる種類の放射線治療ロボットおよび／または少なくとも一つのコリメータを含めた異なる種類の放射線治療送出装置を含むことができる。
【００１７】
一実施形態にあっては、コリメータ自動交換装置１０３は、コリメータ・ハウジング１０２にコリメータ一を固定しまたそこからコリメータを取り外すためにコリメータ・ハウジング１０２に連結された一以上の保持機構など一以上の受動的・機械的構成要素のみを含むものとすることができる。これらの実施形態にあっては、コリメータ自動交換装置１０３は、コリメータ・ハウジング１０２の位置決めをするための放射線治療ロボット１００の動きに依拠しており、保持機構は係合しまた係合を外されて、コリメータを取り上げまた降ろす。これらの構成要素は、受動的・機械的構成要素であるため、コリメータ自動交換装置を操作するためにいかなる付加的な力も必要とはしない。
【００１８】
他の一実施形態にあっては、コリメータ自動交換装置１０３は、コリメータおよびコリメータ・ハウジングなどの機械的構成要素と共に作動する能動的・電気的構成要素（例、コリメータを取り上げまた降ろすために工具交換装置を作動させる構成要素）を含むものとすることができる。同様に、放射線治療ロボット１００の動きを用いて、コリメータを取り上げまた降ろすための能動的・電気的構成要素（例、工具交換装置）を有するコリメータ自動交換装置１０３の位置決めをすることができる。あるいは、コリメータ自動交換装置１０３は、コリメータ交換のための受動的および能動的構成要素をともに含むものとすることができる。
【００１９】
図２は、コリメータ・ハウジング２００の一実施形態を示す。コリメータ・ハウジング２００は、リニア・アクセラレータ１０１に連結されたものとすることができる。一実施形態にあっては、コリメータ・ハウジング２００は、一次保持機構２０１、および二次保持機構２０２を含む。一次保持機構２０１および二次保持機構２０２は、コリメータ・ハウジング２００に連結されている。一次保持機構２０１および二次保持機構２０２は、ともに、コリメータ４０１をコリメータ・ハウジング２００中に固定するように構成されている。一実施形態にあっては、一次保持機構２０１は、コリメータに能動的ロック力をあたえる。一実施形態にあっては、一次保持機構２０１は、ロック用ナットなどのナットである。一実施形態にあっては、ロック用ナットは、ロック用ナット上のストップを含み、それによってロック用ナットは、ストップを越えて回転できない構成とされる。あるいは、ロック用ナットは、ストップを含まない構成とすることもできる。他の一実施形態にあっては、ロック用ナットがコリメータ・ハウジングに固定されていることを示す以下に述べるような近接スイッチ２０４などのセンサが配設される。他の一実施形態にあっては、二次保持機構２０２は、コリメータ・ハウジング２００に連結されたロック・ピンである。あるいは、二次保持機構は、ロック機構、ネジ止め機構、等々とすることができる。
【００２０】
他の一実施形態にあっては、一次保持機構２０１は、コリメータ・カラーとすることができる。コリメータ・カラーは、コリメータ・ハウジング２００に能動的にロックされる構成とすることができる。このような能動的ロックは、リニア・アクセラレータ１０１を４分の１回転させることによって行うことができる。受動的ロックは、摩擦あるいはスプリングに依拠することなしにロックを解除するために能動的力を加えることを含むものとすることができる。加えられる能動的力がなければ、一次保持機構は、ロックされた状態にとどまる。コリメータ・カラー２０１は、「４分の１回転」ロック機構とも呼ぶことができる。ロック用ナット９０１は、手締めトルクの要件を満たすものとし、したがって、平均的なオペレータは、片手でロック用ナットを取り外しまた元に戻すことができるものとすることができる。一次保持機構２０１が、ネジ機構を介してコリメータ・ハウジングに連結されるものとすることができることは、理解されよう。このようなネジ機構は、コリメータ・カラー２０１にネジ山を設け、一次保持機構２０１をコリメータ・ハウジング２０１にネジ止めすることによって実現することができる。一実施形態にあっては、一次保持機構２０１は、一次保持機構２０１を約４５度回してコリメータをコリメータ・ハウジング２００に固定する（例、ロックするまたはネジ止めする）ことによってコリメータ・ハウジングに連結される。あるいは、一次保持機構２０１は、４５度以上または以下、例えば９０度、回す構成とすることもできる。他の一実施形態にあっては、一次保持機構２０１は、ハウジング２００に連結され、コリメータをコリメータ・ハウジング２００に固定するためのシールドとして機能するカルーセルである。あるいは、一次保持機構２０１は、ロック機構、ネジ止め機構、ピン機構、等々の通常の当業者には公知の他の種類の保持機構とすることもできる。例えば、他の一実施形態にあっては、保持機構は、コリメータ上のネジ山（例、外表面が粗いとげ状突起によるネジ山を有するようにタングステン・コリメータを改変する）、および、コリメータ・ハウジング上のそれに対応して噛合うネジ溝とすることができる。放射線治療ロボット１００の動きによって、コリメータのネジ山がコリメータ・ハウジングの内側表面上の噛合うネジ溝と係合する。この実施形態にあっては、コリメータは、ネジ山付きネジとして作動し、コリメータ・ハウジングは、それと噛合うナットとして作動する。
【００２１】
他の一実施形態にあっては、コリメータ・ハウジング２００は、上に述べた一次および二次保持機構の一方など単一の保持機構を含む。一実施形態にあっては、例えば、単一の保持機構は、コリメータ・ハウジングの前端に配置される。単一の保持機構は、コリメータ・ハウジングのネジ溝と係合するコリメータ上のネジ山とすることができる。他の一実施形態にあっては、接触センサが、単一の保持機構を備えるコリメータ・ハウジングの前端に配置される。接触センサは、該接触センサのハウジングの周囲に配置された空洞を含むものとすることができ、上述の保持機構は、該接触センサの空洞内に配置される。保持機構を接触センサのハウジングの空洞内に配置することによって、コリメータ容器と作用し合って保持機構が係合しまたは係合を外されたときに接触センサが作動することはない。あるいは、他の構成にあっては、上述の保持機構および接触センサは、コリメータ・ハウジングの前端に配置される。
【００２２】
一実施形態にあっては、コリメータ・ハウジング２００は、少なくとも一つの近接スイッチ２０４を含む。この近接スイッチ２０４は、コリメータ・ハウジング２００に連結され、コリメータが該コリメータ・ハウジング２００に連結固定されたときにそれを示すように構成される。一実施形態にあっては、近接スイッチ２０４は、一次保持機構２０１（例、コリメータ・カラーまたはナット）の存在を検出するために用いられる。一実施形態にあっては、該近接スイッチ２０４は、電気機械的スイッチである。あるいは、近接スイッチは、電気的センサ・スイッチなど当業者には公知の他の種類のスイッチとすることができる。
【００２３】
一実施形態にあっては、一次および二次保持機構２０１、２０２は、コリメータ・ハウジング２００の前端２０５に配置される。図２にはともに前端２０５に配置されているように示されているが、一次および二次保持機構は、ともに後端２０６に配置することもできるし、または、一方を前端２０５に他方を後端２０６に配置することもできる。あるいは、コリメータ・ハウジングは、単一の保持機構（例、コリメータ・カラーまたはナット）を有するものとすることもできる。単一の保持機構は、コリメータ・ハウジングの前端２０５に配置することができる。あるいは、この保持機構は、コリメータ・ハウジングの後端２０６に配置することもできる。
【００２４】
図３は、コリメータ容器３００の一実施形態を示す。一実施形態にあっては、工具トレー４００は、それぞれが一つのコリメータ４０１を収容する複数のコリメータ容器を含む。このコリメータ容器３００は、誘導機構３０１を含むものとすることができる。この誘導機構３０１は、コリメータ・ハウジングが降ろされると該コリメータ・ハウジングの保持ピンと係合するように構成することができる。またこの誘導機構３０１は、ピンを引っ張ってコリメータ４０１をコリメータ・ハウジング２００から解放する構成とすることができる。他の一実施形態にあっては、誘導機構３０１は、ロック・ピン（例、二次保持機構２０２）を作動させてコリメータ４０１を外し、空のコリメータ容器３００中に入れるランプ（傾斜部）を含む。誘導機構３０１は、コリメータ容器３００に連結され、放射線治療ロボット１００が該コリメータ容器３００に向かって移動しコリメータ４０１をコリメータ・ハウジング２００から外して該コリメータ容器３００中に入れるときに、ロック・ピンの係合を外す構成とすることもできる。
【００２５】
他の一実施形態にあっては、コリメータ容器３００は、該コリメータ容器３００内のコリメータ４０１の存在または不在を検出する複数のセンサ３０２を有するものとすることができる。コリメータ容器３００は、さらに、放射線治療ロボット１００に対する該コリメータ容器３００内のコリメータ４０１の位置を較正するための方向センサ３０３を有するものとすることができる。
【００２６】
図３は、センサ３０２および方向センサ３０３など一以上のセンサを有するコリメータ容器を示しているが、該コリメータ容器は、センサ３０２および／または方向センサ３０３なしに実施できるものであることに留意しなければならない。
【００２７】
図４は、工具トレー４００の一実施形態を示す。この実施形態にあっては、工具トレー４００は、多数のコリメータ４０１を保持するための多数のコリメータ容器３００を含む。一実施形態にあっては、工具トレー４００は、１２の円形の寸法固定コリメータ４０１のセットを保持するための１２のコリメータ容器３００のセットを含む。あるいは、工具トレー４００は、一以上のコリメータ容器３００を含むものとすることもできる。
【００２８】
一実施形態にあっては、各コリメータ容器は、一つのコリメータ・カラーを保持するように構成されたキー付き空洞４０４（例、一次保持機構２０１）である。あるいは、コリメータ容器は、キー付きでないものとすることもできる。
【００２９】
一実施形態にあっては、工具トレー４００は、放射線治療ロボット１００のフレーム内の工具トレー４００の位置を較正するために該工具トレー４００に連結された少なくとも一つの感光センサ、例えば、感光センサ４０５、４０６、および４０７を含むものとすることができる。例えば、これらの感光センサを、コリメータがコリメータ容器の中央に配置されていることを確認するために用いることもできる。すでに述べたように、リニア・アクセラレータ１０１は、一以上の放射線ビームを生成する。これらの放射線ビームは、三つの感光センサ４０５、４０６、および４０７で検出される。これらのセンサ４０５、４０６、および４０７は、リニア・アクセラレータのフレーム内の工具トレー４００の位置を較正するために、該リニア・アクセラレータのコントローラに報告を行う。この較正によって、放射線治療ロボットは、正しいコリメータ容器と該コリメータ容器内の正しい位置で係合できるようにコリメータの位置決めをすることが可能となる。一実施形態にあっては、各コリメータ容器中に少なくとも一つのセンサが配置される。あるいは、それ以上またはそれ以下の感光センサを使用することもできる。
【００３０】
他の一実施形態にあっては、工具トレーは、該工具トレー４００に連結された一以上の固定式クイックチェック・センサを含む。このクイックチェック・センサは、コリメータを工具トレーのコリメータ容器中でコリメータを係合させあるいは係合を外す前の最終チェックとして、リニア・アクセラレータが該工具トレー上方に正しく配置されていることを確認するために用いる感光センサとすることができる。リニア・アクセラレータのフレーム中のトレー・テーブルの位置の見当合わせに多数の感光センサを使用することもできるし、または、多数の該感光センサを用いた見当合わせの処理を行なわずに、一つのセンサを用いて工具トレーの位置をクイックチェックすることも可能である。他の一実施形態にあっては、工具トレー４００は、放射線治療ロボット１００と該工具トレー４００の間の接触を検出する少なくとも一つの近接スイッチの第二のセットを含む。この少なくとも一つの近接スイッチの第二のセットは、工具トレー４００の下に配置することができる。一実施形態にあっては、工具トレー４００は、該工具トレー４００と放射線治療ロボット１００が接触した場合に、該放射線治療ロボット１００が損傷する前に該工具トレー４００が壊れるように、該工具トレー４００が複数の応力点を含むものとすることができる。あるいは、工具トレー４００は、複数の感光センサ、複数の近接センサ、複数の応力点、またはそれらの組み合わせを含むものとすることができる。
【００３１】
図５は、コリメータ・ハウジング５００を示す。図５に示す実施形態にあっては、コリメータ・ハウジング５００は、放射線治療ロボット１００と工具トレー４００および／または放射線治療ロボット１００と患者の接触を検出するための少なくとも一つの接触センサ５０１に連結されている。あるいは、接触センサは、治療室の他の物品との接触を検出するために用いることもできる。
【００３２】
この実施形態にあっては、接触センサ５０１は、コリメータ・ハウジング５００の前端２０５に配置される。一実施形態にあっては、接触センサ５０１は、該接触センサ５０１の周囲に配置された空洞５０２を含む。一次保持機構２０１、例えばナットまたはコリメータ・カラーは、接触センサ５０１のこの空洞５０２内に配置される。他の一実施形態にあっては、二次保持機構２０２は、接触センサ５０１の空洞５０２に配置される。または接触センサ５０１はオペレータの介入なしに一次保持機構２０１（あるいは二次保持機構２０２）の自動機能性を可能にする他の構成でコリメータ・ハウジング５００の上で実施することができる。
【００３３】
図６は、コリメータを交換するためのシステム６００の一実施形態を示す。このシステム６００は、放射線治療ロボット６０１および該放射線治療ロボット６０１の届く範囲内に配置された工具トレー６０２を含む。放射線治療ロボット６０１は、バック・プレート６０３を介してリニア・アクセラレータ１０１に連結されている。システム６００は、１２のコリメータ４０１を含む。これらのコリメータは、１２の円形の寸法固定コリメータとすることができる。工具トレー６０２は、１２の対応するコリメータ容器３００を含む。放射線治療ロボット６０１は、コリメータ・ハウジング１０２、コリメータ・ハウジング５００、あるいはコリメータ・ハウジング２００などのコリメータ・ハウジングに連結されている。放射線治療ロボット６０１およびコリメータ自動交換装置１０３は、１２のコリメータ４０１の一つを工具トレー６０２と連携したコリメータ容器３００からコリメータ・ハウジング５００へ切り換えるように構成することができる。放射線治療ロボット６０１およびコリメータ自動交換装置１０３は、また、１２のコリメータ４０１の一つをコリメータ・ハウジング５００から工具トレー６０２中の対応するコリメータ容器３００へ切り換えるように構成することもできる。コリメータ自動交換装置１０３は、一次保持機構および／または二次保持機構を有するものとすることができる。一実施形態にあっては、一次保持機構は、コリメータ・カラー２０１である。この一次保持機構は、コリメータ・ハウジング５００に連結されている。コリメータ・カラー２０１は、例えば能動型のロックを採用することのできるロック機構を用いまたそれを介して工具トレー６０２のコリメータ容器３００と係合する構成とすることができる。放射線治療ロボット６０１は、それを約４分の１回転させてコリメータ・カラー２０１とコリメータ・ハウジング５００を能動的にロックする構成とすることができる。ロック位置では、コリメータ４０１は、コリメータ・ハウジング５００に固定される。あるいは、放射線治療ロボット６０１を回転させずに、コリメータ自動交換装置１０３のために空気圧式工具交換装置を用いてコリメータ４０１をコリメータ・ハウジング中に固定する構成とすることもできる。一実施形態にあっては、一以上のセンサを用いてコリメータ４０１の存在および／または不在を検出する構成とすることができる。現在あるコリメータ４０１は、工具トレー６０２内に配置して、放射線治療ロボット６０１の届く範囲内に置く構成とすることもできる。コリメータ・カラー２０１は、真鍮製とすることができるが、それを工具トレー６０２のコリメータ容器３００の一つの中に配置する構成とすることができる。一実施形態にあっては、コリメータ容器３００は、４分の１回転のロック機構を有するキー付き空洞４０４である。
【００３４】
図７は、コリメータ容器７０３と連携した誘導機構７０１がコリメータ・ハウジング７００のロック・ピン７０２の係合を外す構成の一実施形態を示す。コリメータ・ハウジング７００は、コリメータ７０４を収容している。コリメータ７０４は、上に述べたコリメータ４０１と類似のものとすることができる。この実施形態にあっては、コリメータ・ハウジング７００のロック・ピン７０２は、コリメータ容器７０３の誘導機構７０１と接触する。一実施形態にあっては、誘導機構７０１は、ロック・ピン７０２を作動させ、コリメータ・ハウジング７００からコリメータ７０４を外してコリメータ容器７０３中に正確に配置するためのランプ（傾斜部）を有する。
【００３５】
図７は、また、コリメータ・ハウジング７００のネジ山７０５も示しており、一次保持機構２０１（例、ナットまたはコリメータ・カラー）は、コリメータ・ハウジング上にネジ止めされる構成とすることができる。
【００３６】
図８は、工具交換装置の一実施形態を示す。工具交換装置８００は、放射線治療システムの一以上のコリメータ４０１を交換するためのコリメータ自動交換装置として使用することができる。一実施形態にあっては、工具交換装置８００は、空気圧式工具交換装置である。空気圧式工具交換装置は、かなり寸法の小さいものとすることができ、通常は、直径約５０ミリメートル、高さ約２５ミリミリメートル程度で、余分なスペースを必要としない。あるいは、当業者には公知の他の工具交換装置を用いて、一以上のコリメータをコリメータ・ハウジング中に係合させまた係合を外す構成とすることができる。
【００３７】
他の一実施形態にあっては、工具交換装置８００は、寸法可変コリメータのハウジングを取り上げるように構成される。寸法可変コリメータは、寸法がプログラマブルなコリメータとすることができる。ハウジング、寸法可変コリメータ、および他の必要な電気機械的構成要素は、統合して一つの内蔵式モジュールとすることができる。このモジュールのリニア・アクセラレータへの接続インターフェースは、この中で説明した寸法固定コリメータに用いるコリメータ・ハウジングの接続インターフェースと類似のものとすることができる。他の一実施形態にあっては、工具交換装置８００は、一以上の寸法固定コリメータを取り上げるために用いられるコリメータ・ハウジングを取り上げる構成とされる。一実施形態にあっては、工具交換装置８００は、一次コリメータのハウジングに連結され、該一次コリメータのハウジングは、リニア・アクセラレータに連結される。
【００３８】
一実施形態にあっては、工具交換装置は、センサ８０１、空気圧、等々の能動的要素を有する。あるいは、他の能動的要素を有する構成とすることもできる。一実施形態にあっては、能動的要素は、コリメータを係合させまた係合を外す一以上のアクチュエータを含む。他の一実施形態にあっては、能動的要素は、コリメータ・カラーを取り除くため全リニア・アクセラレータを動かす放射線治療ロボット１００の代わりにコリメータ容器からコリメータ・カラーを取り除くための工具トレー内のモーターまたは他の作動装置を含む。他の一実施形態にあっては、能動的要素は、多数の寸法固定コリメータを収容する回転式または並進式カルーセル内の駆動機構を含む。カルーセル内の駆動機構は、所望のコリメータをリニア・アクセラレータのビームの経路中に搬入して必要な平行化を行う構成とすることができる。これらの能動的要素は、リニア・アクセラレータ１０１の上、ロボット・アーム６０１の上、あるいは、工具トレー６０２の上など様々な位置に配置することができる。一実施形態にあっては、工具交換装置８００の取り付けは、リニア・アクセラレータのバック・プレートを強化することによって行われる（例、図６に示すバック・プレート６０３）。これらの構成は、コリメータ４０１の周りに一以上の工具交換装置を配置し、工具交換装置８００の取り付けは、リニア・アクセラレータのバック・プレートを強化することによって行われる構成とすることができる。バック・プレートは、ロボット・アーム６０１とリニア・アクセラレータ１０１の間に連結される。また、各コリメータ・ハウジングは、工具交換装置の構成に適合する共通のインターフェース・プレート内に取り付けられる構成とすることができる。共通のインターフェース・プレートは、コリメータ上またはコリメータの一つのハウジング上に常駐する構成とすることができる。一次および二次コリメータをともに含む構成にあっては、工具交換装置と噛合う一次コリメータまたは一次コリメータ・ハウジング上のインターフェース・プレートを配設する構成とすることができる。あるいは、分離叉型マウント（decoupled pronged mount）などの同業者には公知の構成を使用することもできる。
【００３９】
リニア・アクセラレータ上に空気圧式工具交換装置の能動的要素が実施される場合には、工具交換装置の作動は、空気圧を供給してコリメータ容器内のコリメータ４０１を外すことによって行われる。コリメータ容器内のコリメータの係合は、工具交換装置から空気圧を取り除くことによって行うことができる。この実施形態にあっては、リニア・アクセラレータに空気供給ライン（空気圧ラインとも呼ばれる）が供給される。この実施形態にあっては、すべての作動および信号ラインは、リニア・アクセラレータ１０１の現在のケーブル配線を通りまた例えば工具交換装置８００の給電部８０２を通る経路設定とすることができる。
【００４０】
他の一実施形態にあっては、一本の空気供給ラインが、ロボット・アーム６０１上に取り付けられた工具交換装置の能動的要素に接続されている。この実施形態にあっては、ロボット・アーム６０１上に取り付けられた能動的要素は、工具トレーの近辺にある。この実施形態にあっては、工具交換装置の作動は、空気圧を供給してコリメータを外すことによって行われる。コリメータ容器内のコリメータの係合は、工具交換装置から空気圧を取り除くことによって行うことができる。一実施形態にあっては、コリメータ自動交換装置は、放射線治療ロボットに取り付けられた空気圧式工具交換装置である。放射線治療ロボットから空気圧式工具交換装置へ加圧空気を供給する代わりに、工具トレーに迅速接続式空気供給装置を配設することもできる。コリメータを係合させまた係合を外す場合は、放射線治療ロボットが、工具トレーのコリメータ容器内のコリメータを取り上げまたは降ろすために工具トレーの迅速接続式空気供給装置を空気圧式工具交換装置に接続できる位置に空気圧式工具交換装置を配置する。
【００４１】
図１１は、コリメータを自動交換するための処理の一実施形態を示すフローチャートである。工具交換時の事象列は、工具トレー４００をコリメータ４０１と共に配置することを含む。第一の操作１１０１では、コリメータが、リニア・アクセラレータ１０１の届く範囲内にくるように該コリメータが工具トレー上に配置される。治療計画の開始にあたって、放射線治療システムは、必要なコリメータの寸法をチェックする。正しいコリメータ４０１がコリメータ・ハウジング２０３内に導入されている場合には、治療は、中断なしに進行する。しかし、正しくないコリメータ４０１が導入されている場合には、ユーザに、該コリメータ４０１を自動交換してチェックしなおすかまたは作業を中断するかのオプションを提示する。自動交換のオプションを選ぶと、コリメータを交換する処理が開始される。一連の操作の残り部分は、コリメータの交換中に生じる事象の概要を示している。システムは、割り当てられたコリメータ・カラー２０１用のキー付き空洞４０４が空かどうかをチェックする。キー付き空洞が空でない場合、放射線治療システムは、エラーを提示して、オペレータが手動で交換することを求める。フローチャート１１００の第二の操作では、放射線治療ロボット１００が、リニア・アクセラレータ１０１を動かして、割り当てられた位置に配置する。この位置では、放射線治療ロボット１００が、リニア・アクセラレータ・レーザーを用いて工具トレー４００の位置をチェックすることができる。これは、工具トレーに取り付けられた一以上の感光センサを用いて行うことができる。正しい位置決めが確認されない場合には、手動で交換する。この操作１１０２では、リニア・アクセラレータが、工具トレー４００のキー付き空洞４０４の上方へくるように動かされる。第三の操作１１０３では、放射線治療ロボットが、工具トレー４００に近づき、リニア・アクセラレータを下げてコリメータ・カラー２０１を収容しているキー付き空洞４０４中に入れる。第四の操作１１０４では、放射線治療ロボット１００が、４分の１回転して、コリメータ・カラー２０１をコリメータ・ハウジング２００から係合を外し、コリメータ容器中に入れる。第五の操作１１０５では、放射線治療ロボット１００が、コリメータ・カラー２０１をキー付き空洞４０４中に残して工具トレー４００からＬＩＮＡＣを回収する。第六の操作１１０６では、ＬＩＮＡＣが、のぞむコリメータ４０１が収容されているコリメータ容器３００の上方へと動かされる。第七の操作１１０７では、リニア・アクセラレータがコリメータ容器３００へ向かって動かされる。コリメータ・ハウジング２００は、コリメータ容器３００の誘導機構３０１と係合し、コリメータ４０１をコリメータ・ハウジング２００から外してコリメータ容器３００に入れる。コリメータ４０１をコリメータ・ハウジング２００から外してコリメータ容器３００に入れるためには、コリメータ・ハウジング７００がコリメータ容器７０３へ向かって下げられるのに応じて、斜めに配置されている誘導機構３０１がコリメータ・ハウジング７００のロック・ピン７０２と係合する。次に、誘導機構７０１が、ロック・ピン７０２を引っ張ってコリメータ７０４を解放し、コリメータ７０４は、コリメータ容器７０３中に入れられる。システムは、コリメータ７０４が実際に取り除かれたことを確認するためのチックを行う構成としてもよい。第八の操作１１０８では、リニア・アクセラレータが回収され、取り上げられるコリメータ４０１の上方に配置される。システムは、のぞむコリメータ容器３００が中にコリメータ４０１を入れていることを確認するチェックを行う。第九の操作１１０９では、コリメータ・ハウジング２００が下げられてコリメータ４０１を取り上げる。リニア・アクセラレータのその軸の周りの回転の角度は、コリメータ７０４を降ろすときのリニア・アクセラレータの回転の角度と異なる。その結果、コリメータ４０１を取り上げる間、ロック・ピン２０２は、誘導機構３０１とは係合しない。第十の操作１１１０では、コリメータ・ハウジング２００が、回収され、コリメータ・カラー２０１が常駐するキー付き空洞４０４へ向かって動かされる。第十一の操作１１１１では、コリメータ・ハウジング２００は、コリメータ・カラー２０１と係合し、リニア・アクセラレータは、４分の１回転して、コリメータ・カラー２０１を取り外し自在にコリメータ・ハウジング２００に連結する。コリメータは、コリメータ・ハウジング２００内のロック・ピン２０２によっても固定される。交換が成功した後、放射線治療ロボットは、休止位置に戻り、治療計画にしたがって治療のための放射線の送出を続ける構成とすることができる。
【００４２】
図１２は、コリメータを自動交換する処理の一実施形態を示す。第一の操作１２０１では、複数のコリメータが、工具トレー中に配置され、したがって、コリメータは、リニア・アクセラレータ１０１の届く範囲内に置かれる。第二の操作１２０２では、リニア・アクセラレータ１０１が、空のコリメータ容器３００の上方の工具トレー６０２の上方に配置される。第三の操作１２０３では、空気圧が供給されて工具交換装置８００が作動し、工具交換装置と連携したコリメータ・ハウジングからコリメータ４０１を外して、コリメータ容器３００へ入れる。第四の操作１２０４では、リニア・アクセラレータ１０１が、所望のコリメータ４０１を入れたコリメータ容器３００の上方へ動かされる、第五の操作１２０５では、工具交換装置８００から空気圧が除かれ、コリメータ４０１が、取り上げられる。
【００４３】
他の一実施形態では、システムは、空気圧ラインを工具トレー６０２の近辺にある放射線治療ロボット６０１上に取り付けられた工具交換装置８００に接続するための機構を含む。これら後続の操作は、上に概略説明したコリメータ４０１交換の順序の後に追加することができる。工具交換装置８００は、所定の位置に動かされ、空気供給ラインに掛け金止めされる。空気供給ラインは、通常は、可撓性のホースで、全交換操作を通じて工具交換装置８００に接続しておくことができる。コリメータの交換完了後、該空気供給ラインは、指定のスロット内に配置され、供給ラインは切断される。
【００４４】
図１３は、工具交換装置および第二のコリメータのコリメータ・ハウジングの一実施形態を示す。工具交換装置１３０１は、図８を参照して上に説明した工具交換装置８００と類似のものとすることができる。該工具交換装置１３０１は、一次コリメータを収容するコリメータ・ハウジング１３０３と二次コリメータ４０１を収容するコリメータ・ハウジング５００に連結されている。コリメータ・ハウジング５００は、図５を参照して上に説明したコリメータ・ハウジング５００と類似のものとすることができ、また、一次および二次保持機構２０１、２０２ならびに接触センサ５０１を含むものとすることができる。これらの一次および二次保持機構２０１および２０２ならびに接触センサ５０１は、すべて、二次コリメータ・ハウジング５００の前端２０５に配置される。二次コリメータ・ハウジング５００の後端２０６には、工具交換装置１３００が配置される。コリメータ・ハウジング５００は、工具交換装置１３０１に適合した工具プレート１３０２を含むものとすることができる。
【００４５】
一実施形態にあっては、リニア・アクセラレータ１０１は、リニア・アクセラレータ、一次および二次コリメータ、ＲＦ源、および他の付加的構成要素を収容するＸ線ヘッド・アセンブリを含む。一次コリメータは、リニア・アクセラレータ、ＲＦ源、およびＸ線ヘッド・アセンブリを構成する他のすべての構成要素を取り付けたベース・プレートの隔壁上に取り付けられる。Ｘ線ヘッド・アセンブリは、金属の囲いで覆われており、該金属の囲いには、装飾カバーが取り付けられている。Ｘ線ヘッド・アセンブリは、放射線治療ロボット１００に取り付けられる。工具交換装置１３００（例、迅速交換式工具交換装置）は、マスター・プレート１３０１および工具プレート１３０２を含む。ロックおよびロック外れセンサ１３０４の付いたマスター・プレート１３０１は、一次コリメータ１３０３上に取り付けられる。工具交換装置１３００のマスター・プレート１３０１は、空気圧駆動式ロック機構で工具プレート１３０２にロックされる。このロック機構は、ボール・ロック技術を用いた二重テーパ付きピストンならびに空気圧が失われた場合に工具プレート１３０２をマスター・プレート１３０１に固定された状態に保つフェイルセーフ機構を使用することができる。あるいは、ロック機構は、マスター・プレート１３０１および工具プレート１３０２を固定するための他の構成要素を使用することもできる。マスター・プレート１３０１は、電気接続部および空気圧接続部が工具プレート１３０２まで通過できる構成のものとすることができる。工具プレート１３０２は、固定寸法のコリメータを係合させまた係合を外すコリメータ・ハウジングあるいは可変寸法のコリメータのコリメータ・ハウジングなどのエンド・エフェクタに取り付ける構成とすることができる。工具プレート１３０２は、マスター。プレート１３０２の空気圧接続部および電気接続部とのインターフェースとして機能し、それらをエンド・エフェクタまで通過させる構成とすることができる。
【００４６】
図１４は、放射線治療ロボットおよびコリメータを交換するためのコリメータ自動交換装置を含むシステムの一実施形態を示す。図１４のシステム６００は、図６のシステム６００と同じ構成要素、すなわち、放射線治療ロボット６０１および該放射線治療ロボット６０１の届く範囲内に配置された工具トレー６０２を含む。すでに述べたように、放射線治療ロボット６０１は、バック・プレート６０３を介してリニア・アクセラレータ１０１に連結されている。上述のシステム６００は、さらに、１２のコリメータ４０１を含む。これらのコリメータは、１２の円形の寸法固定コリメータとすることができる。工具トレー６０２は、１２の対応するコリメータ容器３００を含む。
【００４７】
また、やはりすでに述べたように、放射線治療ロボット６０１およびコリメータ自動交換装置１０３は、１２のコリメータ４０１の一つを切り換えて選び、工具トレー６０２と連携した一つのコリメータ容器から一つのコリメータ・ハウジング１０２まで、またコリメータ・ハウジング１０２からコリメータ容器３００まで運ぶ構成とすることができる。図６は、距離を置いて工具トレー６０２の上方に配置された放射線治療ロボット６０１を示し、図１４は、コリメータ４０１の一つをコリメータ・ハウジング１０２内で係合させまた係合を外すように配置された放射線治療ロボット６０１を示している。すでに述べたように、放射線治療ロボット６０１は、回転して、コリメータ４０１をコリメータ容器３００からコリメータ・ハウジング１０２中にロックする構成とすることができる。あるいは、放射線治療ロボット６０１は、回転せず、空気圧式工具交換装置をコリメータ自動交換装置１０３に用いて、コリメータ４０１をコリメータ・ハウジング中に固定する構成とすることもできる。図１４は、一つのコリメータ４０１を工具トレー６０２から取り上げるところを示しているが、同様に、放射線治療ロボット６０１は、一つのコリメータ４０１を工具トレーの空のコリメータ容器３００中に降ろすように配置することもできる。
【００４８】
図１５は、ナット・リムーバ１５０１および該ナット・リムーバ１５０１内の感光センサ１５０２を含む工具トレー１５００の一実施形態を示す。この工具トレー１５００は、１２のコリメータ１５０４を収容する１２のコリメータ容器１５０３を含む。この１２のコリメータ１５０４は、円形の固定寸法コリメータとすることができる。工具トレー１５００は、一つのナット・リムーバ１５０１を含む。このナット・リムーバ１５０１は、コリメータ自動交換装置１０３の保持機構を取り外して係合を外すように構成される。例えば、コリメータ自動交換装置１０３は、コリメータ４０１をコリメータ・ハウジングに固定するための一次および二次保持機構を含む。一次保持機構は、ロック用ナット（またコリメータ保持用ナットとも呼ぶ）である。このコリメータ保持用ナットは、該保持用ナットをナット・リムーバ内に配置し、コリメータ・ハウジングから該保持用ナットの係合を外すことによってコリメータ・ハウジングから取り外される。一実施形態にあっては、コリメータ・ハウジングは、ナット・リムーバ１５０１の上方に配置され、コリメータ・ハウジングの位置合わせが、リニア・アクセラレータからレーザおよびコリメータ・ハウジングの保持用ナットをナット・リムーバ１５０１と係合させる前に該ナット・リムーバ１５０１に配置される感光センサ１５０２でチェックされる。あるいは、感光センサ１５０２は、ナット・リムーバ１５０１内の他の場所に配置される。あるいは、感光センサを用いずにコリメータ・ハウジングとナット・リムーバ１５０１の位置合わせがチェックされる。
【００４９】
一実施形態にあっては、ナット・リムーバ１５０１は、コリメータ保持用ナットと係合する二つのスプリング・ピンを含む。このスプリング・ピンは、放射線治療ロボットが（例、反時計回りに）回転して保持用ナットのコリメータ・ハウジングへのネジ止めを外している間に、該ナットが回転するのを防ぐ。
【００５０】
一実施形態にあっては、ナット・リムーバ１５０１上に近接スイッチまたは他の種類のセンサを配置して、ナット・リムーバ１５０１内の保持用ナットの存在／不在を検出する。あるいは、近接スイッチまたは他の種類のセンサを用いずに、ナット・リムーバ１５０１内の保持用ナットの存在／不在が検出される。
【００５１】
保持用ナットがコリメータ・ハウジングから取り除かれると、放射線治療ロボット１００は、コリメータをコリメータ容器中に降ろすために、コリメータ・ハウジングを空のコリメータ容器の上方に配置することができる。次に、放射線治療ロボット１００は、コリメータ・ハウジングを異なるコリメータ容器の上方に配置して、工具トレーから異なるコリメータを取り上げることができる。この異なるコリメータがコリメータ・ハウジングに固定されると（例えば二次保持機構を用いて）、放射線治療ロボット１００をナット・リムーバ１５０１の上方に配置して、コリメータ保持ナット（すなわち、一次保持機構）をコリメータ・ハウジングに固定することができる。これは、コリメータ・ハウジングをナット・リムーバ１５０１中の保持ナットと係合するように配置し、放射線治療ロボット１００を用いてコリメータ・ハウジングを（例、時計回りに）回転させ、保持ナットをコリメータ・ハウジングにネジ止めすることによって行うことができる。保持ナットがコリメータ・ハウジングに固定されると、放射線治療ロボット１００は、ナット・リムーバ１５０１から離して配置する（例、治療前の休止位置に配置する）ことができる。
【００５２】
これらの実施形態は、保持機構としてナットを使用し、また該ナットをコリメータ・ハウジングにネジ止めし、またはネジ止めを外す機構を使用するものとして説明したが、他の保持機構取り外し装置を用いてコリメータ自動交換装置１０３に用いることのできる他の種類の保持機構を係合させまた係合から外すことも可能である。
【００５３】
以上、主としてロボットを用いた画像誘導式放射線治療システムに関する説明を行ってきたが、本明細書で説明した方法および装置は、他の種類の放射線治療システムで用いることも可能である。他の実施形態にあっては、ジンバル付きヘッド・アセンブリを備えるガントリ・アームまたはＯ−リングなど他の種類の機構を利用してＬＩＮＡＣを移動させまたそれによってコリメータを動かすこともできる。
【００５４】
図１６は、ジンバル付き放射線源ヘッド・アセンブリ１６０１およびコリメータ自動交換装置１０３を有するＯ−リング式システム１６００の一実施形態を示す。この実施形態にあっては、工具トレー６０２は、ガントリ１６００の下へ動かされ、リニア・アクセラレータ１６０２（コリメータ・ハウジング１６０３およびコリメータ自動交換装置１０３を含む）が工具トレー６０２のコリメータ容器３００中のコリメータ４０１と係合しまた係合から外れることができるような位置に配置される。Ｏ−リングおよびジンバル付きヘッド・アセンブリ１６０１は、上に述べたように、システムがコリメータ自動交換装置と共に機能するための充分な移動の自由が得られるように構成することができる。より具体的には、Ｏ−リングは、その垂直軸およびジンバルの周りで傾けることができるように構成される。このジンバルは、リニア・アクセラレータ１６０２を、コリメータを工具トレー６０２と係合させまた係合から外すように配置するために水平方向および斜め方向に回転するように駆動できるものである。上に述べた実施形態のように、コリメータ自動交換装置１０３は、一以上の保持機構を含む。コリメータ自動交換装置の一以上の保持機構を含むコリメータ・ハウジング１６０３およびリニア・アクセラレータ１６０２の動きを用いて（例、Ｏ−リングおよびジンバル付きヘッド・アセンブリ１６０１によって操作される）、コリメータ・ハウジング１６０３内のコリメータ４０１を自動交換することができる。更なる実施形態においては、工具自動変換装置は、Ｏ−リング式放射線治療システム１６００と共に使用することもできる。あるいは、コリメータ自動交換装置１０３を、該コリメータ自動交換装置１０３と共に作動する機構（例、アーム、ジンバル、等々）を有する他のガントリ式放射線治療システムと共に用いることもできる。
【００５５】
ここに説明した方法および装置は、医療診断画像形成および治療にのみ用いるように限定されたものではないことに留意しなければならない。他の実施形態にあっては、ここに説明した方法および装置は、工業用画像形成、材料の非破壊試験（例、自動車産業のモーター・ブロック、航空産業の機体、建設産業の溶接、石油産業のドリル・コア）、および地震観測など、医療技術分野以外の適用業務に使用することができる。それらの適用業務にあっては、例えば、「治療あるいは処理」は、通常、ビームの使用（例、放射線、音響、等々）など処理計画立案システムによって制御される操作を行うことを意味し、「標的」は、解剖学的対象物または区域以外の対象物または区域を意味する。
【００５６】
ここに述べた方法の操作は、特定の順序で示し説明したが、各方法の操作の順序を変更して、いくつかの操作は順序を逆にして行うことができるし、あるいは、いくつかの操作は、少なくともその一部を他の操作と平行して行うこともできる。他の一実施形態にあっては、個別の操作の命令の発布あるいは副次操作は、間歇的および／または交互に行われる場合がある。さらに、いくつかの操作は、特定の方法の反復の中で繰り返される場合がある。
【００５７】
上に示した明細書では、本発明は、特定の例示的な実施形態を示して説明した。しかし、添付の請求の範囲に述べられる本発明のより広い精神および範囲から逸脱することなく、それらの実施形態にさまざまな修正および変更を行えることは、明らかであろう。したがって、本明細書および図面は、限定的な意味ではなく説明的な意味で考察されるべきである。
【図１】
2010508965.tif 000003
【図２】
2010508965.tif 000004
【図３】
2010508965.tif 000005
【図４】
2010508965.tif 000006
【図５】
2010508965.tif 000007
【図６】
2010508965.tif 000008
【図７】
2010508965.tif 000009
【図８】
2010508965.tif 000010
【図９】
2010508965.tif 000011
【図１０】
2010508965.tif 000012
【図１１】
2010508965.tif 000013
【図１２】
2010508965.tif 000014
【図１３】
2010508965.tif 000015
【図１４】
2010508965.tif 000016
【図１５】
2010508965.tif 000017
【図１６】
2010508965.tif 000018
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
放射線治療システムのコリメータ自動交換装置を備える装置において、
前記コリメータ自動交換装置は、前記放射線治療システムの一以上のコリメータを自動交換するように構成された装置。
【請求項２】
装置は、さらに
ロボット・アーム、および、
前記コリメータ自動交換装置ならびに前記ロボット・アームに連結されたリニア・アクセラレータを備え、
前記コリメータ自動交換装置は、
前記リニア・アクセラレータに連結されたコリメータ・ハウジング、および
前記一以上のコリメータの一つのコリメータを前記コリメータ・ハウジング中に固定するように構成される一次保持機構を備え、
前記コリメータ・ハウジング、前記一次保持機構、および、前記リニア・アクセラレータは、前記一以上のコリメータを自動的に交換するように構成される請求項１記載の装置。
【請求項３】
前記一次保持機構は、ナットを備える請求項２記載の装置。
【請求項４】
前記一次保持機構は、コリメータ・カラーを備える請求項２記載の装置。
【請求項５】
前記一次保持機構は、前記コリメータ・ハウジングに取り外し自在に連結される請求項２記載の装置。
【請求項６】
前記一次保持機構は、前記コリメータ・ハウジング上にネジ止めされるように構成される請求項２記載の装置。
【請求項７】
前記コリメータ自動交換装置は、前記コリメータを前記コリメータ・ハウジング中に固定するように構成された二次保持機構を備える請求項２記載の装置。
【請求項８】
前記二次保持機構は、ロック・ピンを備える請求項７記載の装置。
【請求項９】
前記一次保持機構は、前記コリメータ・ハウジングの後端に配置される請求項２記載の装置。
【請求項１０】
前記一次保持機構は、前記コリメータ・ハウジングの前端に配置される請求項２記載の装置。
【請求項１１】
装置は、さらに、
前記リニア・アクセラレータの届く範囲内に置かれた工具トレーを備え、また、
前記工具トレーは、前記一以上のコリメータを収容するように構成される請求項２記載の装置。
【請求項１２】
前記工具トレーは、少なくとも一つのコリメータ容器を備える請求項１１記載の装置。
【請求項１３】
前記少なくとも一つのコリメータ容器は、前記コリメータ・ハウジングの一つのロック・ピンの係合を外すように構成され誘導機構に連結される請求項１２記載の装置。
【請求項１４】
前記少なくとも一つのコリメータ容器は、前記リニア・アクセラレータに対する前記コリメータ容器中のコリメータの位置を較正するための方向センサに連結される請求項１２記載の装置。
【請求項１５】
装置は、さらに、
前記リニア・アクセラレータのフレーム中の前記工具トレーの位置を較正するために該工具トレーに連結された少なくとも一つの感光センサを備える請求項１２記載の装置。
【請求項１６】
装置は、さらに、
前記工具トレーに連結された少なくとも一つの固定式クイックチェック・センサを備える請求項１２記載の装置。
【請求項１７】
装置は、さらに、
前記リニア・アクセラレータと前記工具トレーが接触した場合に、該リニア・アクセラレータが損傷する前に該工具トレーが壊れるように、該工具トレー中に複数の応力点を備える請求項１２記載の装置。
【請求項１８】
前記工具トレーは、前記一次保持機構を前記コリメータ・ハウジングとの係合を外すための保持機構リムーバを備える請求項１１記載の装置。
【請求項１９】
装置は、さらに、
ロボット・アーム、および
前記コリメータ自動交換装置および前記ロボット・アームに連結されたリニア・アクセラレータを有し、
前記コリメータ自動交換装置は、前記リニア・アクセラレータに取り外し自在に連結された工具交換装置であり、前記放射線治療システムの前記一以上のコリメータを交換するように構成される請求項１記載の装置。
【請求項２０】
装置は、さらに、
ジンバル付き放射線源ヘッド・アセンブリを有する放射線治療送出装置、および
前記コリメータ自動交換装置および前記ジンバル付き放射線源ヘッド・アセンブリに連結されたリニア・アクセラレータを備え、
前記コリメータ自動交換装置は、
前記リニア・アクセラレータに連結されたコリメータ・ハウジング、および
前記一以上のコリメータの一つのコリメータを前記コリメータ・ハウジング中に固定するように構成された一次保持機構を備え、
前記コリメータ・ハウジング、前記一次保持機構、および、前記リニア・アクセラレータは、前記一以上のコリメータを自動的に交換するように構成される請求項１記載の装置。
【請求項２１】
放射線治療システム中に第一のコリメータを供給し、また
前記放射線治療システム中の前記第一のコリメータを自動的に交換する方法。
【請求項２２】
前記第一のコリメータを自動的に交換することは、
工具トレーの第一のキー付き空洞中で前記第一のコリメータの係合を外すことを含み、また、
前記第一のキー付き空洞は空であり、また、前記第一のコリメータを収容するように構成され、また、
前記第一のキー付き空洞は、前記放射線治療システムのリニア・アクセラレータの届く範囲内にある請求項２１記載の方法。
【請求項２３】
方法は、さらに、
前記工具トレーの一以上の追加のキー付き空洞中に一以上の追加のコリメータを供給し、また、
前記一以上の追加のキー付き空洞は、前記一以上の追加のコリメータを収容するよう構成され、また、
前記工具トレーの前記一以上の追加のコリメータは、前記放射線治療システムのリニア・アクセラレータの届く範囲内にある請求項２２記載の方法。
【請求項２４】
前記第一のコリメータを自動的に交換することは、工具交換装置を用いて一つの工具トレーの一つの第一のキー付き空洞中の前記第一のコリメータの係合を外すことからなり、
前記第一のキー付き空洞は、空であり、
該第一のキー付き空洞は、前記第一のコリメータを収容するように構成され、また、
該第一のキー付き空洞は、前記放射線治療システムの一つのリニア・アクセラレータの届く範囲内にある請求項２１記載の方法。
【請求項２５】
前記工具交換装置は、空気圧式工具交換装置である請求項２４記載の方法。
【請求項２６】
放射線治療システムのコリメータ、および
前記放射線治療システムの前記コリメータを自動的に交換するための手段を備える装置。
【請求項２７】
装置は、さらに
第一のコリメータの係合を外してコリメータ・ハウジングから第一のハウジングへ入れるための手段、および
第二のハウジングからの第二のコリメータを前記コリメータ・ハウジングへ自動的に係合させるための手段を備える請求項２６記載の装置。
【国際調査報告】
2010508965.tif 000019